(57)【特許請求の範囲】
【請求項１】
マンホールと管と可とう継手とを具えるマンホール構造であって、可とう継手が、ゴム弾性を有する円筒部とつば部を備え、該つば部の少なくとも一片面上にコンクリートとの密着性を有する粘着材層を有し、前記つば部がマンホール成形時にマンホールに埋め込まれマンホールに固定されており、前記粘着材層がコンクリート硬化時にコンクリートに密着し水密性を有しており、前記円筒部の内側面に円筒部粘着材層を有しており、締結バンドで円筒部の外側を締圧することにより該円筒部粘着材層が管に圧着されていることを特徴とする、マンホール構造。
【請求項２】
前記つば部の両面に粘着材層を有する、請求項1記載のマンホール構造。
【請求項３】
前記つば部において、その先端部に厚肉部が形成されている、請求項1又は2記載のマンホール構造。
【請求項４】
マンホールと管と可とう継手とを具えるマンホール構造の施工にあたり、
(A)可とう継手を提供する工程で、前記継手が、ゴム弾性を有する円筒部とつば部を備え、該つば部の少なくとも一片面上にコンクリートとの密着性を有する粘着材層を有し、前記円筒部の内側面に円筒部粘着材層を有している工程、
(B)可とう継手のつば部を、マンホール形成予定外壁内に取りつける工程で、つば部の粘着材層をコンクリート硬化時にコンクリートに密着させ、水密性を有するようにする工程、
(C)可とう継手の円筒部の内側面に装着した円筒部粘着材層に当接するように管を装着する工程、及び
(D)締結バンドで可とう継手の円筒部の外側を締圧することにより円筒部粘着材層を管に圧着固定する工程
を含むことを特徴とする、マンホール構造の施工方法。
【発明の詳細な説明】
【０００１】
【発明の属する技術分野】
本発明は、マンホールと管とを接続する継手に関し、更に詳しくはマンホール成形時に該継手を埋め込んだ構造とすることにより確実な止水機能を持たせ、成形されたマンホールに継手を後づけすることを無くするようにしたマンホール構造に関する。
【０００２】
【従来の技術】
従来、マンホールに管を接続するにあたり、成形されたマンホールに使用する管の外径より大きい穴を予めあけておき、この穴に管を挿入し、モルタル等で接続していた。また、接合部に可とう性が必要な場合、ゴム弾性を有する継手を使用していた。
モルタル等で接続する場合、マンホール削孔断面とマンホールに挿入された管の隙間にモルタル等を詰めてマンホールと管の接続を行なっていた。
又、マンホールと管との接続にあたり、可とう性が必要な場合、継手本体をマンホール外壁もしくは削孔断面に張り付けるか押し当てる事により接続を行なってきた。
【０００３】
【発明が解決しようとする課題】
マンホールと管との接続に可とう性が必要な場合、成形されたマンホールに削孔機により穴をあけその後、継手本体を取りつける為マンホールの成形から継手の接続までかなりの時間を要していた。又、削孔して穴をあける為、穴をあける為の大がかりな設備、削孔時間および削孔穴分の余分なコンクリートを必要としていた。又削孔された残りの廃棄物についても廃棄上の問題があった。
【０００４】
【課題を解決するための手段】
前記目的を達成するため、本発明は、マンホールと管と可とう継手とを具えるマンホール構造であって、可とう継手が、ゴム弾性を有する円筒部とつば部を備え、該つば部の少なくとも一片面上にコンクリートとの密着性を有する粘着材層を有し、前記つば部がマンホール成形時にマンホールに埋め込まれマンホールに固定されており、前記粘着材層がコンクリート硬化時にコンクリートに密着し水密性を有しており、前記円筒部の内側面に円筒部粘着材層を有しており、締結バンドで円筒部の外側を締圧することにより該円筒部粘着材層が管に圧着されていることを特徴とする、マンホール構造に係るものである。
【０００５】
また、本発明のマンホール構造は、好ましくはそのつば部の両面粘着材層を有する。
また、前記つば部において、好ましくは、その先端部に厚肉部が形成されている。
更に、本発明のマンホール構造の施工方法は、マンホールと管と可とう継手とを具えるマンホール構造の施工にあたり、(A)可とう継手を提供する工程で、前記継手が、ゴム弾性を有する円筒部とつば部を備え、該つば部の少なくとも一片面上にコンクリートとの密着性を有する粘着材層を有し、前記円筒部の内側面に円筒部粘着材層を有している工程、(B)可とう継手のつば部を、マンホール形成予定外壁内に取りつける工程で、つば部の粘着材層をコンクリート硬化時にコンクリートに密着させ、水密性を有するようにする工程、(C)可とう継手の円筒部の内側面に装着した円筒部粘着材層に当接するように管を装着する工程、及び(D)締結バンドで可とう継手の円筒部の外側を締圧することにより円筒部粘着材層を管に圧着固定する工程を含むことを特徴とする、マンホール構造の施工方法に係るものである。
【０００６】
上述した本発明の構成において、継手のつば部はコンクリートに水密性を有する粘着材層を配し、このつば部をマンホール成形時に、マンホールに埋め込むことによりマンホールに固定され、粘着材層がコンクリート硬化時にコンクリートに密着し水密性を有する構造となる。管との接続においては、円筒部内側に粘着材層を有し、締結バンドを円筒部外側から締め付けることによりこの粘着材層を管に圧着させ止水する。
【０００７】
前記のように継手は、円筒部とつば部を備え、そして該継手はマンホールに埋設されるつば部の少なくとも片面上及び管に接続される円筒部内側には粘着材層を有する。継手本体に可とう性を持たせる為、継手はゴム弾性体とし地盤沈下、地震等によりマンホールと管の動きに追従し止水確保を行なう。
【０００８】
つば部の先端には、厚肉部が形成されているので、マンホール及び管が動いた時につば部をマンホールから引き抜こうとする力が働いた場合、アンカー効果によりつば部が引き抜かれる事を防止する。
尚、継手の本体は数々の弾性を有する材質から形成する事ができ、スチレン・ブタジエンゴム、ＥＰＤＭ、クロロプレンゴム等の合成ゴムや天然ゴム及び軟質塩化ビニル樹脂、熱可塑性エラストマー等から選択できる。
剛性を必要とする締結バンドの材質としてはステンレス鋼、防錆メッキ鋼、硬質プラスチック、繊維強化プラスチック等を使用できる。これらは腐食し難いので望ましい。また粘着材は各々の合成ゴムや天然ゴムに粘着付与剤・充填剤・軟化剤などを加え成型したものであるがブルチゴム系シール材が望ましく、例えば「スパンコール」（早川ゴム株式会社製）が好ましい。スパンシールはブチル再生ゴム（生コンクリート）の硬化反応が進行するのに従って、生モルタルと接着する性質を有している。
また水を吸収して膨張する水膨張性樹脂などを粘着材に加えた水膨張性シール材は、水を吸収し膨張し水密性を発揮するために有用である。
【０００９】
以下実施例によって更に本発明を説明する。
【実施例】
図１は、本発明にかかる継手の斜視図である。
継手Ａは、弾性体、例えばゴム弾性体であり、円筒部１とつば部２から構成される。つば部２の端部には厚肉部３が設けられている。更につば部２の少なくとも片面、好ましくは両面には粘着材層４、例えばブチル粘着材層が積層されている。つば部の径の大きさは、接続する管とマンホールの大きさにより一律に定められないが、粘着材が安定した止水性能を発揮する粘着材の幅である５０ｍｍ以上を確保できるつばの大きさが望ましい。
【００１０】
円筒１の内周面には、粘着材層４′が設けられており、その粘着材層４′に対応する円筒部１の外面周囲部には、締結バンド５を設けている。尚、前記締結バンド５が設けられる円筒部１の外面周囲部は、溝を形成し、該溝内部に締結バンド５を装着することにより、円筒部１の外周面上での変位を防ぐことができる。
【００１１】
図２は、本発明のマンホール構造の施工方法を説明する断面図である。
上記継手Ａの円筒部１の外径より多少大きい寸法径の空間部分を鉄枠等を使用しマンホール形成予定の外径内に設ける。そして、継手のつば部２を上記マンホール形成予定外壁内に取りつけ、コンクリートを打ち込み継手が内蔵されたマンホールを成形する。次いで、継手の円筒部内側面に装着した粘着材層４′に当接するように、管７をマンホール６に取りつける。
【００１２】
つば部２はマンホール６の成形時に埋め込まれ、粘着材層４がマンホール６の硬化時に一体成形され止水を行なう。
また、円筒部１は、その内側面に粘着材層４′を有し、円筒部１の外側面から締結バンド５を締め付けることにより、粘着材４′が管７に圧着される。
【００１３】
更に、つば部端部の厚肉部３は、管７が屈曲、引き抜き、押し込み、及び上下左右に変位した場合、又はつば部２を引き抜こうとする力が働いた場合に、アンカー効果により管の抜けを防止することができる。
【００１４】
【発明の効果】
以上、説明したように本発明は構成されるものであるから、従来施工方法のようにマンホールと管との接続のためマンホール外壁に穴を削孔する事なく可とう性の継手を有するマンホールを作製できる。従って、削孔穴分のコンクリートを節約でき継手を後でマンホールに取付ける作業を省ける効果を奏する。また、従来のようにコンクリート廃材もでない。従って廃棄上の問題も生じない。又、粘着材層を設けたつば部をマンホールに埋め込むことにより止水効果も高くなる。更に、つば端部に厚肉部を設けているので、そのアンカー効果によりマンホールから管の抜けを確実に防止できる。
【図面の簡単な説明】
【図１】本発明にかかる継手の斜視図である。
【図２】本発明のマンホール構造の施工方法を説明する断面図である。
【符号の説明】
１ 円筒部
２ つば部
３ つば端部厚肉部
４，４′ 粘着材層
５ 締結バンド
６ マンホール
７ 管
【図１】
0004070317.tif 000002
【図２】
0004070317.tif 000003